(57)【特許請求の範囲】
【請求項１】
遊技盤に非開閉型入賞手段と開閉型入賞手段とを備え、
前記開閉型入賞手段は前記遊技盤の前側に開放する入賞口と、
所定の条件により前記入賞口の開閉動作を行う可動部材と、
該可動部材を駆動する駆動手段とを含み、
前記入賞口と前記可動部材と前記駆動手段とを含み且つ前記遊技盤に裏側から装着された裏側ユニットを備え、
前記入賞口の周辺に位置し且つ前記裏側ユニットとは別に前記遊技盤に前側から装着された前部材を備え、
前記前部材は前記可動部材が前側に開放動作可能な開口部と、
前記非開閉型入賞手段の入賞口とを有する
ことを特徴とする弾球遊技機。
【発明の詳細な説明】
【技術分野】
【０００１】
本発明は、パチンコ機、アレンジボール機等の弾球遊技機に関するものである。
【背景技術】
【０００２】
パチンコ機では、遊技盤の前面の遊技領域の略中央に画像表示手段が配置されると共に、この画像表示手段の下側の左右略中央に特別図柄始動手段、可変入賞手段が上下に配置され、また画像表示手段の前飾り枠等の適当箇所に特別図柄表示手段等が配置されている。
【０００３】
そして、特別図柄始動手段が遊技球を検出することを条件に、特別図柄表示手段の特別図柄が所定時間変動すると共に、この特別図柄の変動に同期して画像表示手段が演出画像を変動表示し、その変動後の特別図柄が特定の大当たり態様を停止表示したときに、特別利益状態が発生して可変入賞手段が複数回開閉動作を繰り返す等、可変入賞手段に多数の遊技球が入賞し易くなる。
【０００４】
可変入賞手段は遊技盤に当接する前飾り体と、前飾り体に横長矩形状に形成されて遊技盤の前面に開口する入賞口と、入賞口を開閉する開閉扉と、前飾り体の裏側に一体又は別体に設けられ且つ入賞口の裏側の球経路を形成する筐体と、開閉扉を駆動する駆動手段とを備えている。
【０００５】
筐体は前飾り体の裏側に一体に形成したもの（特許文献１）と、前飾り体とは別体に成型して前飾り体の裏側に着脱自在に装着したもの（特許文献２）とがある。一体型の筐体を備えた可変入賞手段では、開閉扉を枢支する枢軸を筐体の側壁に挿通し、また別体型の筐体を備えた可変入賞手段では、開閉扉を枢支する枢軸を前飾り体と筐体とにより保持している。
【先行技術文献】
【特許文献】
【０００６】
【特許文献１】特開２００２−８５７３６号公報
【特許文献２】特開２００１−３４６９６１号公報
【発明の概要】
【発明が解決しようとする課題】
【０００７】
従来の可変入賞手段は、パチンコ機の機種毎にそれ専用の専用部品として製作されており、遊技盤の前面に当接する前飾り体を交換する程度で、前飾り体以外の筐体、駆動手段等をユニット化して共通の汎用部品として使用するようなことはできないか、又は非常に困難であった。
【０００８】
即ち、特許文献１の可変入賞手段は前飾り体とその裏側の筐体とが一体であるため、筐体、駆動手段等をユニット化して複数種類の可変入賞手段の共通の汎用部品として使用することはできない。
【０００９】
また特許文献２の可変入賞手段の場合には前飾り体とその裏側の筐体とが別体であるため、裏側の筐体、駆動手段等により裏側ユニットを構成し、この裏側ユニットを汎用部品として使用することが考えられる。しかし、開閉扉を枢支する枢軸が前飾り体と筐体との間で保持されており、前飾り体とは別の裏側ユニット側に開閉扉を組み込んでおくことはできないので、機種別に複数種類の前飾り体を準備した場合でも、作業能率の点から、遊技盤の組立て前の段階で予め前飾り体と筐体とを組み合わせて、特定機種用の可変入賞手段として完成しておく必要がある。
【００１１】
本発明は、このような従来の問題点に鑑み、入賞手段を前部材と裏側ユニットとに分離でき、遊技盤に前後両側から別々に装着できるようにした弾球遊技機を提供することを目的とする。
【課題を解決するための手段】
【００１２】
本発明は、遊技盤に非開閉型入賞手段と開閉型入賞手段とを備え、前記開閉型入賞手段は前記遊技盤の前側に開放する入賞口と、所定の条件により前記入賞口の開閉動作を行う可動部材と、該可動部材を駆動する駆動手段とを含み、前記入賞口と前記可動部材と前記駆動手段とを含み且つ前記遊技盤に裏側から装着された裏側ユニットを備え、前記入賞口の周辺に位置し且つ前記裏側ユニットとは別に前記遊技盤に前側から装着された前部材を備え、前記前部材は前記可動部材が前側に開放動作可能な開口部と、前記非開閉型入賞手段の入賞口とを有するものである。
【発明の効果】
【００１７】
本発明によれば、入賞手段を前部材と裏側ユニットとに分離でき、遊技盤に前後両側から別々に装着できる利点がある。
【図面の簡単な説明】
【００１８】
【図１】本発明の第１の実施形態を例示するパチンコ機の正面図である。
【図２】同遊技盤の複合入賞手段部分の一部正面図である。
【図３】同複合入賞手段の斜視図である。
【図４】同複合入賞手段の正面断面図である。
【図５】同複合入賞手段と遊技盤との関係を示す斜視図である。
【図６】同複合入賞手段と遊技盤との関係を示す分解断面図である。
【図７】同遊技盤の複合入賞手段部分の縦断面図である。
【図８】同遊技盤の複合入賞手段部分の横断面図である。
【図９】同遊技盤の複合入賞手段部分の横断面図である。
【図１０】同裏ケース体を外した状態の背面図である。
【図１１】同複合入賞手段の中間の正面断面図である。
【図１２】同複合入賞手段の分解斜視図である。
【図１３】同複合入賞手段の分解斜視図である。
【図１４】同複合入賞手段の前飾り体の斜視図である。
【図１５】同装着過程を示す断面図である。
【図１６】本発明の第２の実施形態を示す複合入賞手段の分解斜視図である。
【図１７】本発明の第３の実施形態を示す複合入賞手段の分解斜視図である。
【図１８】同縦断面図である。
【図１９】本発明の第４の実施形態を示す分解斜視図である。
【発明を実施するための形態】
【００１９】
以下、本発明の各実施形態を図面に基づいて詳述する。図１〜図１５は本発明をパチンコ機に採用した第１の実施形態を例示する。パチンコ機１は、図１に示すように、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００２０】
前面板６の前側には、発射用の遊技球を貯留する球供給皿８と、余剰球を貯留する球受け皿９とが上下に配置され、その側方に遊技球を発射する発射手段（図示省略）の発射ハンドル１０が設けられている。球供給皿８、球受け皿９は前面板６に装着され、前側から上部皿カバー１２、下部皿カバー１３により覆われている。
【００２１】
上部皿カバー１２の前中央部には、前斜め上向きに操作ボタン兼用の回転発光演出手段１４が配置され、その左側にチャンスボタン１５が配置されている。回転発光演出手段１４は発光部を覆い且つ押圧操作部となった発光カバー１４ａを有する。前枠４にはガラス扉５の裏側に対応するように遊技盤１７が着脱自在に装着されている。
【００２２】
遊技盤１７の前面には、発射手段から発射された遊技球を案内するガイドレール１８が略円弧状に配置されると共に、そのガイドレール１８の内側の遊技領域１９に画像表示手段２０、普通図柄始動手段２１、複合入賞手段２２、普通入賞手段２３、普通図柄表示手段２５、特別図柄表示手段２６等の各種の遊技部品が配置され、最下部にアウト球を裏側へと案内するアウト口（案内部）２７が設けられている。なお、ガイドレール１８は外レール１８ａと内レール１８ｂとを備え、その内レール１８ｂに沿って遊技領域１９の下側に、アウト球をアウト口２７へと案内するアウト球レール２８が設けられている。
【００２３】
画像表示手段２０は遊技領域１９の左右方向の略中央の上部に配置され、この画像表示手段２０の下側に複合入賞手段２２が配置されている。普通図柄始動手段２１は画像表示手段２０とガイドレール１８との間に配置されている。普通入賞手段２３は１又は複数の入賞口を一組として備え、複合入賞手段２２の左右両側に設けられている。
【００２４】
複合入賞手段２２は、図２〜図４に示すように、上入賞口２９，３０を有する特別図柄始動手段（上入賞手段）３１と、下入賞口３２を有する可変入賞手段（下入賞手段）３３とを上下に隣接して配置し複合化したものである。特別図柄始動手段３１の上入賞口２９，３０には、遊技盤１７の前面で上下に隣接して配置され且つ上向きに開放する非開閉式の第１入賞口（非開閉式入賞口）２９と開閉式の第２入賞口（開閉式入賞口）３０との二つがあり、また可変入賞手段３３の下入賞口３２は、遊技盤１７の前面で前向きに開放する横長矩形状の第３入賞口（可変入賞口）３２となっている。
【００２５】
画像表示手段２０は液晶式等の画像表示部３４と、画像表示部３４に対応する表示窓３５ａを有し且つ遊技盤１７の前面に装着された飾り枠３５とを備えている。飾り枠３５の上部側の前面に普通図柄表示手段２５と特別図柄表示手段２６とが装着されている。
【００２６】
普通図柄表示手段２５は普通図柄を変動表示するためのもので、複数種類の普通図柄（例えば２種類の「○」「×」）に対応する複数の発光素子により構成されており、普通図柄始動手段２１が遊技球を検出することを条件に２個の発光素子が交互に点灯するように所定時間点滅して、普通図柄始動手段２１の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２７】
特別図柄表示手段２６は発光部位の変化等で特別図柄を変動表示可能なセグメント式等により構成されており、特別図柄始動手段３１が遊技球を検出することを条件に、特別図柄が所定時間変動して、特別図柄始動手段３１の遊技球の検出時に抽選された乱数値が予め定められた大当たり判定値と一致した場合に所定の大当たり態様で、それ以外の場合に外れ態様で停止するようになっている。
【００２８】
特別図柄始動手段３１は第２入賞口３０の入賞領域を変化させるための可動部材である左右一対の開閉翼（上可動部材）３６をその左右両側に有し、普通図柄表示手段２５の変動後の停止図柄が当たり態様となったときに、開閉翼３６が所定時間（短時間）だけ開放するようになっている。可変入賞手段３３は第３入賞口３２の入賞領域を変化させるための可動部材である開閉扉（上可動部材）３７を有し、特別図柄表示手段２６の変動後の特別図柄が大当たり態様となって特別遊技状態が発生したときに開閉扉３７が前側に開放して、上方から落下する遊技球を開閉扉３７を経て第３入賞口３２へと入賞させるようになっている。特別遊技状態中は開閉扉３７の開放から所定時間（例えば３０秒程度）が経過するか、その間に所定数（例えば１０個）の遊技球が入賞したときに開閉扉３７を閉じる動作を１ラウンドとし、この動作を所定回数（例えば１６ラウンド）継続するようになっている。
【００２９】
画像表示部３４は特別図柄表示手段２６の特別図柄に対応する演出図柄３８ａ〜３８ｃの変動表示、回転発光演出手段１４の操作指示画像３９を表示する操作指示等、遊技の進行に従って適宜タイミングで各種の演出画像を随時表示するものである。即ち、特別図柄表示手段２６の特別図柄の変動に際しては、その特別図柄の変動に同期して１個又は複数、例えば３個の演出図柄３８ａ〜３８ｃが画像表示部３４に変動表示される。このとき演出図柄３８ａ〜３８ｃは特別図柄始動手段３１の遊技球の検出を条件に、抽選により決定された所定の演出図柄変動パターンを経て所定時間変動した後、特別図柄の変動終了に同期して所定の順序（例えば左、右、中等の順序）で順次停止する。
【００３０】
演出図柄３８ａ〜３８ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００３１】
例えば、演出図柄３８ａ〜３８ｃには０〜９までの数字図柄が使用されており、特別図柄が大当たり態様で停止する場合には演出図柄３８ａ〜３８ｃは「７・７・７」等の大当たり演出態様で停止し、特別図柄が外れ態様で停止する場合には演出図柄３８ａ〜３８ｃは「２・４・５」等の外れ演出態様で停止する。
【００３２】
回転発光演出手段１４の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄３８ｂを除く２個の演出図柄３８ａ，３８ｃが同じとなるリーチとなった場合に、画像表示部３４の所定箇所に回転発光演出手段１４の操作を指示する操作指示画像３９が表示される。
【００３３】
そして、例えば特別図柄始動手段３１が遊技球を検出したときに大当たりを抽選しており、変動後の特別図柄が大当たり態様となった後に特別遊技状態が発生する場合には、その操作指示画像３９に従って図柄変動中に適宜タイミングで回転発光演出手段１４の発光カバー１４ａを押圧操作すれば、発光カバー１４ａ内の発光部が回転しながら明滅発光する回転発光状態となって、その後の大当たり態様での特別図柄の停止、及びこれに続く特別遊技状態の発生を予告する。
【００３４】
なお、回転発光演出手段１４は遊技者が操作するか否かに関係なく回転発光させてもよい。また回転発光演出手段１４の回転発光中は、画像表示部３４に回転発光演出手段１４の回転発光を示す演出画像を表示してもよい。
【００３５】
複合入賞手段２２は特別図柄始動手段３１と可変入賞手段３３とを複合化したものであって、図２〜図１４に示すように構成されている。即ち、この複合入賞手段２２は、図２〜図６に示すように、遊技盤１７の前面に当接する前部材４２と、遊技盤１７の装着孔４５を介して前部材４２と前後に相対応して遊技盤１７の裏側に配置された後部材４３とを備えている。前部材４２は遊技盤１７に前側から装着される前飾り体４４を備えている。後部材４３は装着孔４５よりも外周に拡がる裏ケース４６を備え、この裏ケース４６内に特別図柄始動手段３１及び可変入賞手段３３の後部機構４７が収容され、また前飾り体４４と裏ケース４６との間には、特別図柄始動手段３１及び可変入賞手段３３の中間機構４８が遊技盤１７の装着孔４５内に設けられている。
【００３６】
特別図柄始動手段３１は、図２〜図１４に示すように、第１・第２入賞口２９，３０、開閉翼３６の他に、第１・第２入賞口２９，３０からの遊技球を後方へと案内する第１・第２案内通路４９，５０と、第１・第２案内通路４９，５０からの遊技球を遊技盤１７の裏側で下側へと案内する第１・第２球経路５１，５２と、第１・第２球経路５１，５２からの遊技球を下方へと落下させる第１落下口５３と、開閉翼３６を開閉駆動する第１駆動手段５４と、第１・第２入賞口２９，３０に入賞した遊技球を検出する第１・第２検出スイッチ５５，５６とを備えている。
【００３７】
可変入賞手段３３は図２〜図１４に示すように、第３入賞口３２、開閉扉３７の他に、第３入賞口３２に入賞した遊技球を遊技盤１７の裏側へと誘導する第３球経路５７と、第３球経路５７からの遊技球を下方に落下させる第２落下口５８と、開閉扉３７を駆動する第２駆動手段５９と、第３入賞口３２に入賞した遊技球を検出する第３検出スイッチ６０とを備えている。
【００３８】
なお、第１・第２案内通路４９，５０、第３球経路５７、第３検出スイッチ６０等により中間機構４８が構成され、第１・第２球経路５１，５２、第１・第２検出スイッチ５５，５６、第１・第２駆動手段５４，５９等により後部機構４７が構成されている。
【００３９】
複合入賞手段２２は、図２〜図６に示すように、第２・第３入賞口３０，３２が設けられた口枠体６３と、遊技盤１７の裏側にその裏面に沿って配置された裏ケース４６と、第１入賞口２９を有し且つ第２・第３入賞口３０，３２の周辺を飾る前飾り体４４とを備えている。口枠体６３には第２入賞口３０の開閉翼３６と第３入賞口３２の開閉扉３７とが設けられている。
【００４０】
裏ケース４６の内部には、図７〜図１３に示すように、第１・第２球経路５１，５２、第１・第２駆動手段５４，５９、第１・第２検出スイッチ５５，５６が収容され、また裏ケース４６の前面に第３球経路５７、第３検出スイッチ６０が設けられている。口枠体６３及び裏ケース４６は前後に着脱自在に結合されており、複数種類のパチンコ機に共通な汎用部品である裏側ユニット６４を構成している。
【００４１】
裏側ユニット６４は、図２〜図１３に示すように、第２・第３入賞口３０，３２、第１・第２案内通路４９，５０、開閉翼３６、開閉扉３７、第１・第２駆動手段５４，５９、第１〜第３球経路５１，５２，５７、第１〜第３検出スイッチ５５，５６，６０を含み、その第１・第２球経路５１，５２、第１・第２検出スイッチ５５，５６、第１・第２駆動手段５４，５９が裏ケース４６内に収容され、また口枠体６３、第１・第２案内通路４９，５０、第３球経路５７が裏ケース４６の前面から前側に突出し且つ遊技盤１７の装着孔４５に裏側から嵌め込まれている。
【００４２】
前飾り体４４はパチンコ機１の機種毎の専用部品を構成するもので、この前飾り体４４の裏側に、裏側ユニット６４が結合手段６５により裏ケース４６の裏側から着脱自在に結合されている。前飾り体４４は、図２、図７〜図９、図１４に示すように、遊技盤１７の前面に当接され、前側から固定手段６８、例えばネジ６８ａにより遊技盤１７に装着されている。なお、裏ケース４６はその前面が遊技盤１７の裏面に近接又は当接している。
【００４３】
前飾り体４４は、図２、図５に示すように、特別図柄始動手段３１の第１・第２入賞口２９，３０の周辺を飾る板状の第１前飾り部６６と、可変入賞手段３３の第３入賞口３２の周辺を飾る板状の第２前飾り部６７とを上下に一体に備え、その第１前飾り部６６に特別図柄始動手段３１用の第１開口部６６ａが、第２前飾り部６７に可変入賞手段３３用の第２開口部６７ａが互いに上下に連通して形成されている。前飾り体４４の上端部には第１入賞口２９と第１案内通路４９とが第１前飾り部６６の前後に突出して一体に形成されている。前飾り体４４は第１・第２前飾り部６６，６７の外周部分の複数箇所でネジ６８ａにより前側から遊技盤１７に着脱自在に固定されている。なお、第１案内通路４９は裏ケース４６の前面に設けてもよい。
【００４４】
口枠体６３は、図２〜図５、図７〜図９、図１２、図１３に示すように、前飾り体４４の第１前飾り部６６の第１開口部６６ａに嵌合して遊技盤１７の前面で第１・第２入賞口２９，３０の後部側外周を飾る上側の第１飾り部６９と、前飾り体４４の第２前飾り部６７の第２開口部６７ａに嵌合して遊技盤１７の前面で第３入賞口３２の外周を飾る下側の第２飾り部７０とを上下に一体に備え、その前面が前飾り体４４の前面と略面一状になっている。
【００４５】
第１飾り部６９には第２入賞口３０用の球受け部７１と、この球受け部７１の裏側に連通する第２案内通路５０とが前後両側に突出して一体に設けられ、その球受け部７１の前面に、球受け部７１の前側を塞ぐ左右方向の前壁部７１ａが左右一対のネジ７１ｂにより着脱自在に固定されている。球受け部７１、第２案内通路５０はＵ字状、その他の樋状に構成されている。
【００４６】
第２入賞口３０の左右両側の開閉翼３６は、前後両端部が第１前飾り部６６と前壁部７１ａとにより回動自在に支持された前後方向の枢軸７２により開閉自在に枢支され、開状態のときに上方からの遊技球を第２入賞口３０へと案内するようになっている。開閉翼３６は、図４に二点鎖線で示すように、閉状態にしたときに第１前飾り部６６の外周よりも内側に収まる大きさであり、組み立て・分解時には開閉翼３６を閉状態にすることにより、前飾り体４４の第１開口部６６ａを前後に通過可能である。
【００４７】
第２入賞口３０は第３入賞口３２の上側で前飾り体４４の前面に装着された入賞口カバー７３により覆われている。入賞口カバー７３は第２入賞口３０の下側から左右両側、前側を覆う形状になっており、前飾り体４４に裏側から挿通されたネジ７３ａ等の固定具により着脱自在に固定されている。
【００４８】
第２飾り部７０には第３入賞口３２が横長矩形状に形成されると共に、この第３入賞口３２を取り囲む周壁部７４が裏面に一体に形成されている。第３入賞口３２の開閉扉３７はその下部の左右両側に横方向の枢軸７５を有し、その枢軸７５が周壁部７４の側壁下部の軸受部７６により開閉自在に枢支されており、前側に開放したときに、上方からの遊技球を受けて第２入賞口３０へと案内するようになっている。
【００４９】
裏ケース４６は、図３〜図６、図１２、図１３に示すように、前後に偏平な背面視略矩形状の箱型であって、対向側に周壁部７７ａ，７８ａが形成された前ケース体７７と裏ケース体７８とを備え、その両ケース体７７，７８を前後方向に着脱自在に結合して形成されている。両ケース体７７，７８はその周壁部７７ａ，７８ａが前後に当接しており、裏ケース体７８の裏側から複数の結合手段７９により着脱自在に結合されている。結合手段７９は前ケース体７７から後方に突出する取り付けボス等の取り付け部７９ａと、裏ケース体７８の取り付け孔に裏側から挿通されて取り付け部７９ａに螺合するネジ７９ｂとを備えている。
【００５０】
口枠体６３と裏ケース４６は、図９、図１２、図１３に示すように、裏ケース４６の裏側から複数の結合手段８０により着脱自在に結合されている。結合手段８０は口枠体６３から後方に突出する複数のボス等の取り付け部８０ａと、前ケース体７７の取り付け孔に裏側から挿通されて取り付け部８０ａに螺合するネジ８０ｂとを備えている。
【００５１】
前飾り体４４と裏ケース４６を結合する結合手段６５は、図８、図１０に示すように、前飾り体４４の外周部分に周方向に分散して複数設けられ、前飾り体４４から後方に突出する複数のボス等の取り付け部６５ａと、前ケース体７７の取り付け孔に裏側から挿通されて取り付け部６５ａに螺合するネジ６５ｂとを備えている。なお、前ケース体７７の前面には取り付け部６５ａの先端が嵌合する凹部６５ｃが設けられている。裏ケース体７８には、この裏ケース体７８の裏側からネジ６５ｂを操作できるように、取り付け孔に対応して操作孔６５ｄが貫通状に設けられている。
【００５２】
第１・第２球経路５１，５２、第１落下口５３、第１・第２検出スイッチ５５，５６、第１・第２駆動手段５４，５９は、図７〜図１３に示すように裏ケース４６の内部、即ち前ケース体７７の裏側に設けられている。また第３球経路５７、第２落下口５８、第３検出スイッチ６０は、図７、図９〜図１３に示すように裏ケース４６の前側、即ち前ケース体７７の前側で前ケース体７７と口枠体６３との間に設けられている。
【００５３】
前ケース体７７は一種の支持体を構成するものであり、第１・第２球経路５１，５２、第１落下口５３、第１・第２検出スイッチ５５，５６及び第１・第２駆動手段５４，５９は前ケース体７７の裏側となり、第３球経路５７、第１・第２案内通路４９，５０及び第３検出スイッチ６０は前ケース体７７の前側となるように、前ケース体７７の前後両側に振り分けて設けられている。
【００５４】
前ケース体７７には、図７〜図１０、図１２、図１３に示すように、第１・第２案内通路４９，５０に対応して第１・第２入口５１ａ，５２ａが上下に形成され、第１・第２球経路５１，５２はその第１・第２入口５１ａ，５２ａを介して第１・第２案内通路４９，５０に連通している。第２球経路５２は、裏ケース４６内に左右方向の略中央に上下方向に配置され、第２入口５２ａとその下方の第１落下口５３とに跨がって略直線状に設けられている。第２球経路５２は前後の両ケース体７７，７８と、前ケース体７７から後方に突出する左右一対の経路壁５２ｂとの間に形成されている。
【００５５】
第１球経路５１は、裏ケース４６内に第２球経路５２を迂回してその左右一側に配置されており、第１入口５１ａと第１落下口５３とに跨がって背面視略コ字状に構成されている。なお、第１球経路５１は前後の両ケース体７７，７８と、前ケース体７７から後方に突出する内・外経路壁５１ｂ，５１ｃとの間に形成されている。第１落下口５３は両ケース体７７，７８の下側の周壁部７７ａ，７８ａを切り欠いて形成され、第１・第２球経路５１，５２からの遊技球を遊技盤１７の裏側で下方へと落下させるようになっている。
【００５６】
第３球経路５７は、第３入賞口３２に対応して前ケース体７７の前側から一体に突出する上経路壁５７ａと下路壁５７ｂとの間に横長状に設けられ、第３入賞口３２から入賞した遊技球を下経路壁５７ｂ上に集めて第２落下口５８へと案内するようになっている。下経路壁５７ｂは底壁部を構成しており、開放状態の開閉扉３７の後端部に対応する高さに配置され、両側の遊技球を左右方向の中間の第２落下口５８へと案内するよう傾斜している。上経路壁５７ａは下経路壁５７ｂを上側から覆う下向きコ字状であり、その前端が口枠体６３の周壁部７４の後端に当接している。下経路壁５７ｂは左右両端側に上経路壁５７ａの側壁部５７ｃとの間に所定の間隔をおいて側壁部５７ｄが設けられている
なお、遊技盤１７の装着孔４５はアウト口２７の上側に連続して形成されており、第３球経路５７の第２落下口５８は遊技盤１７の厚み内でアウト口２７に連通している。アウト口２７は遊技球を遊技盤１７の裏側へと案内すべく傾斜状であり、その前側にはアウト球レール２８に一体の口部２８ａが設けられている。また上経路壁５７ａの側壁部５７ｃには、周壁部７４の切り欠き状の軸受部７６に嵌合して枢軸７５を押える押え部５７ｅが設けられている。裏ケース体７８は下部側に切り欠き部８５を有し、その切り欠き部８５を経て裏ケース４６の裏側から第１〜第３検出スイッチ５５，５６，６０の取り付け状態を目視により確認できるようになっている。
【００５７】
第１〜第３検出スイッチ５５，５６，６０は左右方向に長く上下に偏平な矩形状であって、図７、図１０〜図１３に示すように、遊技球の通過孔５５ａ，５６ａ，６０ａが球経路５１，５２，５７に対応するように、前ケース体７７の裏側から各球経路５１，５２，５７に対応する保持部８１〜８３に着脱自在に装着されている。
【００５８】
特別図柄始動手段３１側の第１・第２検出スイッチ５５，５６の内、第２検出スイッチ５６は第２入口５２ａの下側近傍に配置され、第１検出スイッチ５５は第２検出スイッチ５６の上側に隣接して配置されている。前ケース体７７の裏側には第１球経路５１の内経路壁５１ｂと第２球経路５２の経路壁５２ｂとを左右に連結する連結壁８４が設けられ、この連結壁８４を挟んで各球経路５１，５２に対応する第１・第２保持部８１，８２が設けられている。そして第１・第２検出スイッチ５５，５６は、その前ケース体７７の裏側から第１・第２保持部８１，８２に嵌合され、且つ第１・第２保持部８１，８２の連結壁８４と反対側の係合爪８１ａ，８２ａにより着脱自在に係止されている。
【００５９】
可変入賞手段３３側の第３検出スイッチ６０は、第３球経路５７の下側に近接して配置されている。前ケース体７７には下経路壁５７ｂの下側に、前ケース体７７の裏側に開放する第３保持部８３が設けられ、この第３保持部８３に前ケース体７７の裏側から第３検出スイッチ６０が嵌合され係合爪８３ａにより着脱自在に係止されている。
【００６０】
第１・第２駆動手段５４，５９は、図８〜図１０、図１３に示すように、下向きに突出するプランジャー８６ａ，８７ａを備えた第１・第２ソレノイド８６，８７により構成されており、その第１・第２ソレノイド８６，８７は左右方向の略中央の第２球経路５２に対して第１球経路５１とは反対側に配置されている。第１・第２ソレノイド８６，８７は前ケース体７７の裏面の位置決め部８６ｂ，８７ｂにより位置決めされ、且つ両ケース体７７，７８により前後両側から挟持されて固定されている。
【００６１】
特別図柄始動手段３１側の第１ソレノイド８６と開閉翼３６は、第１連動体８８、第１連動アーム８９を介して連動しており、第１ソレノイド８６が励磁したきにプランジャー８６ａが上昇して開閉翼３６が第２入賞口３０を開放し、第１ソレノイド８６が消磁したときに戻しバネによりプランジャー８６ａが下降して開閉翼３６が第２入賞口３０を閉じるようになっている。可変入賞手段３３の第２ソレノイド８７と開閉扉３７も第２連動体９０、第２連動アーム９１を介して連動しており、第２ソレノイド８７が励磁したきにプランジャー８７ａが上昇して開閉扉３７が第３入賞口３２を開放し、第２ソレノイド８７が消磁したときに戻しバネによりプランジャー８７ａが下降して開閉扉３７が第３入賞口３２を閉じるようになっている。
【００６２】
特別図柄始動手段３１側の第１連動アーム８９は、図８、図１０〜図１３に示すように、左右の開閉翼３６に対応して第２案内通路５０、第２球経路５２の左右両側に前後方向に配置され、後部側の軸部８９ａが左右の経路壁５２ｂの軸受部５２ｃにより上下揺動自在に枢支されている。左右の第１連動アーム８９は前端側に係合部８９ｂを有し、この係合部８９ｂが第１飾り部６９の通孔６９ｂを経て後方に突出する各開閉翼３６の偏心ピン３６ａに係合している。左右の第１連動アーム８９は後端側の左右方向の棒状の連結部８９ｃにより連結され、またその一方の第１連動アーム８９に、プランジャー８６ａの下端の第１連動体８８に係合する突起８９ｄが設けられている。
【００６３】
なお、軸部８９ａは各第１連動アーム８９から内側に突出しており、連結部８９ｃを弾性変形させることにより軸受部５２ｃに左右両側から挿入されている。また後ケース体７８には、第２球経路５２の上端を塞ぐ蓋部５２ｄが前側に突出して設けられ、蓋部５２ｄの前端の左右両側に軸受部５２ｃ内の軸部８９ａを第１連動アーム８９の近傍で裏側から押える押え部５２ｅが設けられている。
【００６４】
可変入賞手段３３側の第２連動アーム９１は、図９〜図１３に示すように、開閉扉３７の左右一端側の側壁部５７ｃ，５７ｄ間に前後方向に配置され、後端の軸部９１ａにより上下揺動自在に枢支されている。第２連動アーム９１は開閉扉３７の左右一端側に形成された係合凹部３７ａ内に係合し、また中間の突起９１ｂを介して第２連動体９０に係合している。軸部９１ａは前ケース体７７から裏側に突出する軸受部７７ｃと、裏ケース体７８から前側に突出する押え部７８ｃとにより回動自在に支持されている。各連動体８８，９０は前後の両ケース体７７，７８間で前ケース体７７又は裏ケース体７８の案内レール８８ａ，９０ａに沿って上下摺動自在に案内されている。
【００６５】
このパチンコ機１では、普通図柄始動手段２１が遊技球を検出すると、普通図柄表示手段２５の普通図柄が所定時間変動する。そして、変動後の普通図柄が当たり態様で停止すると、特別図柄始動手段３１の開閉翼３６が所定条件で開閉し、その開放時に第２入賞口３０に遊技球が入賞し易くなる。
【００６６】
また特別図柄始動手段３１の第１・第２入賞口２９，３０に遊技球が入賞し、その遊技球を第１・第２検出スイッチ５５，５６が検出すると、特別図柄表示手段２６の特別図柄が変動すると共に、特別図柄の変動に同期して画像表示部３４の演出図柄３８ａ〜３８ｃが変動する。そして、変動後の特別図柄が大当たり態様で停止すると、可変入賞手段３３の開閉扉３７が所定条件で開閉し、上方から落下する多数の遊技球が開閉扉３７を経て第３入賞口３２へと入賞し易くなる。普通入賞手段２３、特別図柄始動手段３１の第１・第２入賞口２９，３０、可変入賞手段３３の第３入賞口３２等に遊技球が入賞すると、その１入賞毎に規定数の遊技球が賞球として払い出される。なお、賞球数は入賞手段２２，２３に応じて異なっており、例えば第３入賞口３２に入賞したときの賞球数が最も多くなっている。
【００６７】
特別図柄始動手段３１の第１・第２入賞口２９，３０に入賞した遊技球は第１・第２案内通路４９，５０を経て第１・第２入口５１ａ，５２ａから裏ケース４６内の第１・第２球経路５１，５２へと入り、この第１・第２球経路５１，５２を経て裏ケース４６内を下方へと移動した後、裏ケース４６の下端の第１落下口５３から遊技盤１７の裏側に落下する。そして、第１・第２球経路５１，５２を通過中の遊技球を第１・第２検出スイッチ５５，５６が検出し、その検出信号により大当たり抽選処理、特別図柄の変動処理、賞球の払い出し処理等の所定の制御が行われる。
【００６８】
可変入賞手段３３の第３入賞口３２に入賞した遊技球は、第３球経路５７を経て第２落下口５８へと案内され、この第２落下口５８から下方へと落下した後、遊技盤１７に形成されたアウト口２７を経て遊技盤１７の裏側へと案内される。そして、第２落下口５８から落下する遊技球を第３検出スイッチ６０が検出し、その検出信号により賞球の払い出し処理等が行われる。
【００６９】
この実施形態の複合入賞手段２２では、次のような利点がある。この複合入賞手段２２は第２・第３入賞口３０，３２と、開閉翼３６、開閉扉３７等の可動部材と、第１〜第３球経路５１，５２，５７と、第１・第２駆動手段５４，５９と、第１〜第３検出スイッチ５５，５６，６０とを含む裏側ユニット６４を構成する一方、この裏側ユニット６４とは別に、第１〜第３入賞口２９，３０，３２の周辺を飾る前飾り体４４を設け、この前飾り体４４を遊技盤１７に前側から装着しているので、裏側ユニット６４を汎用部品として多種類のパチンコ機用に共通に使用でき、前飾り体４４を専用部品とすることができる。
【００７０】
従って、このような構成の複合入賞手段２２では、複合入賞手段２２の主要部を構成する裏側ユニット６４を汎用部品として、その前側を飾る前飾り体４４を交換することにより、多種類のパチンコ機に兼用できる複合入賞手段２２を製作することが可能であり、製作コストの大幅な削減を図ることができる。
【００７１】
また複合入賞手段２２を遊技盤１７に装着する場合には、例えば図１５に示すように、先ず遊技盤１７の装着孔４５に合わせて遊技盤１７の前面側の所定位置に位置決めし、その状態で固定手段６８のネジ６８ａにより前飾り体４４をその前面側から遊技盤１７に固定する。なお入賞口カバー７３は予め前飾り体４４に装着しておく。次に裏側ユニット６４の前部側の口枠体６３、第３球経路５７等を遊技盤１７の装着孔４５に裏側から挿入して、その口枠体６３の第１・第２飾り部６９，７０を前飾り体４４の第１・第２前飾り部６６，６７の第１・第２開口部６６ａ，６７ａ内に嵌合させる。
【００７２】
このとき前飾り体４４から後方に突出する取り付け部６５ａの先端が同時に裏ケース体７８の凹部６５ｃに嵌合するため、これらの嵌合により前飾り体４４に対して裏側ユニット６４を所定位置に位置決めできる。その後、結合手段６５のネジ６５ｂを裏ケース４６の裏側から挿入して取り付け部６５ａに螺合することにより、前飾り体４４と裏側ユニット６４とを固定できる。
【００７３】
このようにすれば、裏側ユニット６４を前飾り体４４を介して遊技盤１７に固定できるので、装着孔４５よりも大きい前飾り体４４と裏ケース４６とが遊技盤１７の前後両側にあるにも拘わらず、その複合入賞手段２２を遊技盤１７に対して容易に装着することができる。
【００７４】
また裏ケース４６を裏側から結合手段６５により前飾り体４４に結合することにより、結合手段６５が前側に露出しないだけでなく、前飾り体４４を遊技盤１７に固定した後に、口枠体６３を前飾り体４４に嵌合させた状態での裏ケース４６の固定を容易に行うことができる。更に裏側ユニット６４を直接遊技盤１７にネジ等で固定すると、そのネジ等が遊技盤１７の前面に配置される遊技釘と干渉する惧れがあるが、遊技盤１７の前面の前飾り体４４を介して固定することにより、そのような問題も未然に防止できる。
【００７５】
しかも裏ケース４６を遊技盤１７の裏面に直接固定せずに前飾り体４４を介して裏側ユニット６４を遊技盤１７に間接的に取り付けているため、裏ケース４６の前面が遊技盤１７の裏面に当接するか否かに関係なく複合入賞手段２２を遊技盤１７に装着することができる。このための複合入賞手段２２は板厚の異なる遊技盤１７に対しても、その板厚が前飾り体４４と裏ケース４６の前面との間隔以下である限りは装着可能であり、最大の板厚の遊技盤１７を基準に複合入賞手段２２を設計しておけば、遊技盤１７の板厚の大小に関係なく採用できるので、裏側ユニット６４の汎用部品化を更に促進することができる。
【００７６】
また第２・第３入賞口３０，３２の入賞領域を変化させる開閉翼３６、開閉扉３７等の可動部材は裏側ユニット６４の口枠体６３側にあるため、口枠体６３の第１・第２飾り部６９，７０を前飾り体４４の第１・第２前飾り部６６，６７の第１・第２開口部６６ａ，６７ａに裏側から嵌め込んで、前飾り体４４と裏側ユニット６４とを結合手段６５で結合することにより、複合入賞手段２２を容易に完成することができる。このため事前に裏側ユニット６４と前飾り体４４とを結合して複合入賞手段２２を完成させておく必要がないので、前飾り体４４を変更する場合にも容易に対処でき、また裏側ユニット６４と前飾り体４４とが別々であるにも拘わらず、遊技盤１７の組み立て時に複合入賞手段２２を容易に取り付けることができる。
【００７７】
特に裏側ユニット６４から前側に突出する口枠体６３に第２・第３入賞口３０，３２を形成すると共に、口枠体６３の第１・第２飾り部６９，７０に開閉翼３６、開閉扉３７等の可動部材を設けておき、その口枠体６３が遊技盤１７の前面に当接する前飾り体４４の第１・第２開口部６６ａ，６７ａに裏側から嵌合するようにしているので、重要な構成部分の全てを裏側ユニット６４に組み込むことができ、開閉翼３６、開閉扉３７の作動不良等を極力少なくすることができる。また口枠体６３に遊技盤１７の前面に露出する第１・第２飾り部６９，７０があり、この第１・第２飾り部６９，７０を第１・第２前飾り部６６，６７の第１・第２開口部６６ａ，６７ａに裏側から嵌合させているので、口枠体６３の第２・第３入賞口３０，３２の周辺部分の仕上がり状態が良好になり、また口枠体６３と前飾り体４４との位置ズレ等を防止することができる。
【００７８】
遊技盤１７の前側で上向きに開放する第２入賞口３０には、この第２入賞口３０の左右両側に開閉翼３６があるが、その開閉翼３６を閉状態にしたときに前飾り体４４の第１開口部６６ａを通過可能にしているので、前飾り体４４よりも前側に開閉翼３６があるにも拘わらず、前飾り体４４と裏側ユニット６４とを容易に組み合わせることができる。
【００７９】
複合入賞手段２２は遊技盤１７の裏側にその裏面に沿って拡がる裏ケース４６を備えており、この裏ケース４６内に後部機構４７、例えば第１・第２球経路５１，５２、第１・第２検出スイッチ５５，５６、第１・第２駆動手段５４，５９等を収容しているので、従来に比較して遊技盤１７の裏側の構造を大幅に簡素化することができる。また裏ケース４６は全外周又は一部外周が遊技盤１７の裏面に沿って装着孔４５よりも外側に拡がる偏平な箱型にすることによって、その内部の第１・第２球経路５１，５２、第１・第２検出スイッチ５５，５６、第１・第２駆動手段５４，５９等の後部機構４７を上下、左右に分散して配置することができると共に、裏ケース４６の遊技盤１７の後方への突出量を小さくすることができる。
【００８０】
更に複合入賞手段２２は第１・第２入賞口２９，３０と、第１・第２球経路５１，５２、第１・第２検出スイッチ５５，５６等の後部機構４７を収容する裏ケース４６との間に、遊技盤１７の装着孔４５内に配置される第１・第２案内通路４９，５０、第３球経路５７、第３検出スイッチ６０等の中間機構４８を配置しているので、遊技盤１７の装着孔４５内の空間を有効に利用できる。裏ケース４６は前ケース体７７と裏ケース体７８とを前後に着脱自在に備え、その内部に収容された第１・第２駆動手段５４，５９を両ケース体７７，７８により挟持しているので、第１・第２駆動手段５４，５９を裏ケース４６内に簡単な構造で容易且つ確実に固定することができる。
【００８１】
複合入賞手段２２には遊技盤１７の前面側に開放して上下に配置された複数の第１〜第３入賞口２９，３０，３２があり、この第１〜第３入賞口２９，３０，３２に入賞した遊技球を遊技盤１７の裏側へと誘導するための第１〜第３球経路５１，５２，５７と、第１〜第３入賞口２９，３０，３２に入賞した遊技球を検出する第１〜第３検出スイッチ５５，５６，６０とを備えている。
【００８２】
しかし、遊技盤１７の裏側にその裏面に沿って配置された支持板を構成する前ケース体７７の裏側に、第１・第２入賞口２９，３０に対応する第１・第２球経路５１，５２及び第１・第２検出スイッチ５５，５６を配置し、この前ケース体７７の前側に第３入賞口３２に対応する第３球経路５７及び第３検出スイッチ６０を配置することにより、第１〜第３球経路５１，５２，５７を簡単な構造で容易に構成でき、第１〜第３検出スイッチ５５，５６，６０も容易に取り付けることができる。
【００８３】
特に第１〜第３球経路５１，５２，５７を前ケース体７７の前後両面に配置すると共に、その第１〜第３球経路５１，５２，５７を形成する経路壁５１ｂ，５１ｃ，５２ｂ，５７ａ，５７ｂを前ケース体７７の前後両面に一体に設けることにより、部品点数を少なくできる。また前ケース体７７の前側の下部に第３球経路５７を配置し、第１・第２入賞口２９，３０に入賞した遊技球を裏側の第１・第２球経路５１，５２へと案内する第１・第２案内通路４９，５０を前ケース体７７の前側で第３球経路５７の上側に配置しているため、前ケース体７７の前側に第１・第２案内通路４９，５０と第３球経路５７とを無理なく配置できる。
【００８４】
図１６は本発明の第２の実施形態を例示する。この実施形態の裏ケース４６は、左右両側から上側に跨がってその上部側に周壁部７７ａ，７８ａを有し、下部側は開放状となっている。このように裏ケース４６には第１落下口５３を除く略全周に周壁部７７ａ，７８ａがあることが望ましいが、全周に設ける必要はなく、上側に周壁部７７ａ，７８ａを設けて、下部側を開放状にしてもよい。
【００８５】
なお、周壁部７７ａ，７８ａを設けるに当たっては、第１・第２の実施形態の何れの場合にも、前ケース体７７、裏ケース体７８の両方に設けてもよいし、前ケース体７７と裏ケース体７８との一方に設けて、他方は板状にすることも可能である。
【００８６】
図１７及び図１８は本発明の第３の実施形態を例示する。この実施形態では、遊技盤１７の裏面に沿って配置された前板７７Ａと、この前板７７Ａの裏側に所定の間隔をおいて結合手段６５を介して結合された裏板７８Ａとを有し、その前板７７Ａの前後両面に第１の実施形態と同様に球経路５１，５２，５７、検出スイッチ５５，５６，６０、駆動手段５４，５９等が設けられる等、他の構成は第１の実施形態と略同様である。
【００８７】
この実施形態の前板７７Ａ、裏板７８Ａは、第１の実施形態の前ケース体７７、裏ケース体７８の周壁部７７ａ，７８ａを除去したものと略同様である。この実施形態では、第１・第２球経路５１，５２、第１・第２検出スイッチ５５，５６、第１・第２駆動手段５４，５９は二枚の前板７７Ａと裏板７８Ａとの間に設けられている。従って、裏板７８Ａは第１・第２球経路５１，５２の裏側を塞ぐと共に、第１・第２駆動手段５４，５９、第１・第２連動体８８，９０、第１・第２連動アーム８９，９１等の連動機構を裏側から覆うようになっている。
【００８８】
複合入賞手段２２を構成するに際しては、この実施形態に示すように裏ケース４６に代えて前板７７Ａと裏板７８Ａとを利用してもよい。なお、裏板７８Ａは前板７７Ａよりも小さくしてもよい。
【００８９】
図１９は本発明の第４の実施形態を例示する。この実施形態の複合入賞手段２２は、前飾り体４４と裏側ユニット６４とを結合した後、その裏側ユニット６４を遊技盤１７の装着孔４５に前側から嵌合させて装着するようになっている。裏側ユニット６４はその裏ケース４６を含む全体が遊技盤１７の装着孔４５に前側から嵌合可能な大きさであって、第１の実施形態と同様に結合手段６５を介して前飾り体４４の裏側に装着されている。その他の構成は第１の実施形態と略同様である。
【００９０】
この場合にも裏側ユニット６４を汎用部品とし、前飾り体４４を専用部品とすることができる。従って、裏側ユニット６４の汎用化を図るに当たっても、裏側ユニット６４は遊技盤１７に対して前側から嵌合する構造のものでもよい。
【００９１】
以上、本発明の各実施形態について詳述したが、本発明はこの各実施形態に限定されるものではなく、本発明の趣旨を逸脱しない範囲で種々の変更が可能である。例えば、各実施形態では、特別図柄始動手段３１と可変入賞手段３３とを複合化した複合入賞手段２２について例示しているが、特別図柄始動手段３１又は可変入賞手段３３の単独の入賞手段でもよいし、特別図柄始動手段３１又は可変入賞手段３３と他の入賞手段とを複合化したものでもよい。
【００９２】
裏側ユニット６４は少なくとも入賞口と可動部材と駆動手段とを含むものであればよく、これらに他の案内通路、球経路を組み合わせてもよい。またソレノイド、プランジャー等の駆動手段を除く、口枠体６３、開閉翼３６、開閉扉３７、裏ケース４６等の裏側ユニット６４側の構成部材を透明、半透明の合成樹脂材により構成してもよい。その場合、口枠体６３の第１・第２前飾り部６６，６７、開閉扉３７等の裏面側に乱反射部を設ける等して、前側から内部を透視できないようにしてもよい。
【００９３】
また第３球経路５７の内部、開閉扉３７、第１・第２前飾り部６６，６７の裏側に発光手段を設けて、それらを必要に応じて発光させるようにしてもよい。第２入賞口３０の可動部材は開閉翼３６により構成し、第３入賞口３２の可動部材は開閉扉３７により構成しているが、前後方向に出退動作する可動部材等、入賞口の形態に応じて可動部材は適宜変更可能である。
【００９４】
口枠体６３、前飾り体４４の形状、構造は、これらを備えた入賞手段が複合式、単独式の何れであるかによって適宜変えればよい。例えば、複合式の場合には、口枠体６３の第１・第２飾り部６９，７０、前飾り体４４の第１・第２前飾り部６６，６７は別々に設けてもよいし、また単独式の場合には、その単独の入賞手段に見合うものであればよい。従って、その形状、構造は自在に変更可能である。口枠体６３は前飾り体４４の第１・第２開口部６６ａ，６７ａに嵌合しているが、前飾り体４４の裏面に第１・第２開口部６６ａ，６７ａを取り囲む凹部を設け、その凹部に嵌合するようにしてもよい。また口枠体６３は前飾り体４４の第１・第２開口部６６ａ，６７ａに対応する位置であれば、直接前飾り体４４に嵌合しない構造にしてもよい。
【００９５】
口枠体６３の第１飾り部６９の前側に第２入賞口３０と左右一対の開閉翼３６とを設ける場合、その開閉翼３６は組立て時の都合上、閉状態のときに第１飾り部６９の外周よりも内側に収まる大きさであることが望ましいが、第１飾り部６９が開状態の開閉翼３６の形状に対応する形状とし、その開状態の開閉翼３６が第１飾り部６９の外周よりも内側に収まるようにしても、第２入賞口３０の左右両側に一対の開閉翼３６を備えたままで第１飾り部６９を第１開口部６６ａに嵌脱することができる。
【００９６】
実施形態の裏ケース４６は前後に偏平な背面視略矩形状の箱型としているが、その内部に収容される後部機構４７に応じて背面視形状を適宜変更可能である。第３球経路５７、第３検出スイッチ６０は裏ケース４６内に収容してもよい。また裏ケース４６は遊技盤１７の裏側にその裏面に沿って配置しているが、その前ケース体７７から前側に突出する突状部を装着孔４５内に対応して設け、この突状部内に第３球経路５７、第３検出スイッチ６０等を設け、その第３球経路５７の裏側を裏ケース体７８で塞ぐようにしてもよい。第１・第２案内通路４９，５０は前ケース体７７に一体に設けてもよい。
【００９７】
裏ケース４６は遊技盤１７の装着孔４５を裏側から覆うようにその全周が装着孔４５よりも大きくなっているが、遊技盤１７の装着孔４５に裏側から入らない大きさのものであればよい。従って、裏ケース４６は外周の一部分が装着孔４５よりも外側に拡がるものでもよい。また複合入賞手段２２のように複数の入賞口２９，３０，３３があり、その入賞口２９，３０，３３と同数の球経路５１，５２，５７及び検出スイッチ５５，５６，６０があり、また複数の入賞口２９，３０，３３と同数又は入賞口２９，３０，３３よりも少ない複数の駆動手段５４，５９がある場合、裏ケース４６内にそれらの全てを収容してもよいし、駆動手段５４，５９は全て収容し、遊技球の落下口５３，５８を前後に異ならせる必要のある球経路及び検出スイッチは、その一部を裏ケース４６の外部に設けてもよい。その場合、実施形態のように第３球経路５７、第３検出スイッチ６０を裏ケース４６の前側に配置すれば、裏ケース４６の裏側を簡素化することができる。勿論、球経路、検出スイッチ、駆動手段が複数又は１の何れの場合にも、その１つを収容すれば十分である。裏ケース４６内に複数の球経路、検出スイッチ、駆動手段を設ける場合、夫々が前後に重ならないように遊技盤１７の裏面に沿って並べて配置することが望ましい。
【００９８】
また実施形態では、第１・第２球経路５１，５２、第１・第２検出スイッチ５５，５６、第１・第２駆動手段５４，５９を裏ケース４６内に収容し、第３球経路５７、第３検出スイッチ６０を前ケース体７７の前側に設けているが、第１・第２球経路５１，５２、第１・第２検出スイッチ５５，５６、第１・第２駆動手段５４，５９は必ずしも裏ケース４６内に収容せずに、裏側に露出状に設けてもよい。その場合、例えば遊技盤１７の裏側に沿って板状等の支持体を配置し、この支持体の前面に第３球経路５７、第３検出スイッチ６０を配置し、支持体の裏面に第１・第２球経路５１，５２、第１・第２検出スイッチ５５，５６、第１・第２駆動手段５４，５９を配置してもよい。
【００９９】
支持体の前後両側に球経路、検出スイッチ、駆動手段を設ける場合に、球経路の経路壁、検出スイッチの保持部等は支持体と一体に設けるのが望ましいが、別部材により構成し、それを支持体の前後両面に装着してもよい。
【０１００】
実施形態では、上側の入賞口として第１・第２入賞口２９，３０を設けているが、これは１個でもよい。第１・第２案内通路４９，５０は前ケース体７７に一体に設けてもよい。また上側に第１・第２入賞口２９，３０を設ける場合、上側となる第１入口５１ａに連通する第１球経路５１は、下側の第２入口５２ａを迂回して配置し、第１・第２球経路５１，５２は異なる位置に遊技球を落下させるようにしてもよい。
【０１０１】
可変入賞手段３３を下側に配置する場合には、その第３入賞口３２は前向きに横長矩形状に開放することになるが、第２入賞口３０と同様に上向きに開放して左右一対の開閉翼３６により開閉するようにしてもよい。また第２落下口５８の遊技球はアウト口２７に落下させる他、遊技盤１７にアウト口２７とは別に案内部を設けて、その案内部を経て遊技盤１７の裏側へと遊技球を案内するようにしてもよい。前ケース体７７、前板７７Ａ等の支持体の裏側に複数の球経路と複数の駆動手段とを配置する場合、例えば左右の一方側に球経路を配置し、他方側に駆動手段を配置する等、両者を分けて集中的に配置することが望ましい。
【０１０２】
また実施形態では、遊技盤１７に装着される遊技部品として複合入賞手段２２を例示し、その前飾り体４４を遊技盤１７の前面に当接する前部材４２とし、遊技盤１７の装着孔４５を介して前部材４２と前後に対応して遊技盤１７の裏側に配置され且つ装着孔４５よりも大きい後部材４３を裏ケース４６、或いは前板７７Ａ等の支持体としているが、遊技部品は複合入賞手段２２の他、特別図柄始動手段３１、可変入賞手段３３等の単独の各種入賞手段、更には画像表示部３４を有する画像表示手段、回転リールを有する回転表示手段等の大型の遊技部品においても同様に実施できることは云うまでもない。
【０１０３】
また前部材４２と後部材４３とを結合手段６５により結合する場合には、デザイン的にも後部材４３を裏側から前部材４２に結合することが望ましいが、前部材４２を後部材４３に対して前側から結合するようにしてもよい。結合手段７９は実施形態のように前ケース体７７から後方に突出するボス状の取り付け部７９ａを設けてもよいが、前ケース体７７又は裏ケース体７８の周壁部７７ａ，７８ａに取り付け部７９ａを設けて、その取り付け部７９ａにネジ７９ｂを螺合するようにしてもよい。更に各実施形態はパチンコ機について例示しているが、パチンコ機に限らず、アレンジボール機、雀球機等の各種の弾球遊技機においても同様に実施可能である。
【符号の説明】
【０１０４】
１７  遊技盤
２２  複合入賞手段
２９  第１入賞口（上入賞口）
３０  第２入賞口（上入賞口）
３１  特別図柄始動手段
３２  第３入賞口（下入賞口）
３３  可変入賞手段
３６  開閉翼（上可動部材）
３７  開閉扉（下可動部材）
４４  前飾り体
４５  装着孔
５１  第１球経路
５２  第２球経路
５４  第１駆動手段
５５  第１検出スイッチ
５６  第２検出スイッチ
５７  第３球経路
５９  第２駆動手段
６０  第３検出スイッチ
６３  口枠体
６４  裏側ユニット
６６  第１前飾り部
６６ａ  第１開口部
６７  第２前飾り部
６７ａ  第２開口部
６９  第１飾り部
７０  第２飾り部
【図１】
0005951549.tif 000002
【図２】
0005951549.tif 000003
【図３】
0005951549.tif 000004
【図４】
0005951549.tif 000005
【図５】
0005951549.tif 000006
【図６】
0005951549.tif 000007
【図７】
0005951549.tif 000008
【図８】
0005951549.tif 000009
【図９】
0005951549.tif 000010
【図１０】
0005951549.tif 000011
【図１１】
0005951549.tif 000012
【図１２】
0005951549.tif 000013
【図１３】
0005951549.tif 000014
【図１４】
0005951549.tif 000015
【図１５】
0005951549.tif 000016
【図１６】
0005951549.tif 000017
【図１７】
0005951549.tif 000018
【図１８】
0005951549.tif 000019
【図１９】
0005951549.tif 000020